(57)【要約】【課題】生ゴミと共に処分することができる生ゴミ収納容器を提供する。【解決手段】新聞紙等の古紙を折り曲げて上端を開口させた略中空錐体（１）を形成し、該略中空錐体の下部に水切り用の切り込み線（３）を形成してなることを特徴とする生ゴミ収納容器。新聞紙等の古紙を折り曲げて上端を開口させた略中空錐体（１）を形成し、該略中空錐体の下部に水切り用の切り込み線（３）を形成してなる容器を支持体（５）に嵌脱自在に嵌め、該支持体には吸着盤（７）を備えさせ、該吸着盤を流し台に吸着させるようにしたことを特徴とする生ゴミ収納容器。【選択図】図１
2004189463.tif 000002
【特許請求の範囲】
【請求項１】
新聞紙等の古紙を折り曲げて上端を開口した略中空錐体を形成し、該略中空錐体の下部に水切り用の切り込み線を形成してなることを特徴とする生ゴミ収納容器。
【請求項２】
新聞紙等の古紙を折り曲げて上端を開口した略中空錐体を形成し、該略中空錐体の下部に水切り用の切り込み線を形成してなる容器を支持体に嵌脱自在に嵌め、該支持体には吸着盤を備えさせ、該吸着盤を流し台に吸着させるようにしたことを特徴とする生ゴミ収納容器。
【発明の詳細な説明】
【０００１】
【発明の属する技術分野】
本発明は生ゴミ収納容器に関するものであり、特に台所等の流し台（シンク）に備えさせるようにした生ゴミ収納容器に係るものである。
【０００２】
【従来の技術】
生ゴミ収納容器としては、一般に、台所等における流し台のコーナー部に配設される平面略直角三角形状のもの（以下、「三角コーナー」という。）が使用されている。なお、本出願人は先行技術文献情報を有しない。
【０００３】
【発明が解決しようとする課題】
しかるに、三角コーナーにおいては、三角コーナーに収納された生ゴミを処分する際には、三角コーナーを上下反転させて三角コーナー内の生ゴミをゴミ袋又はコンポスト等に投入しなければならない。また、三角コーナーを単に上下反転させたのみでは、三角コーナー内の生ゴミの一部がゴミ袋又はコンポスト等の中に落下することなく三角コーナー内に付着したまま残存することがしばしばある。このような場合には、三角コーナー内に残存する生ゴミを取り出す作業が面倒であり、作業者に不潔感を与えることになる。
【０００４】
因みに、ゴミ袋に投入された生ゴミは他のゴミと共に焼却処分される。また、コンポスト等に投入された生ゴミは堆肥化される。
【０００５】
本発明は、生ゴミ収納容器としての三角コーナーにおける上述の如き問題を解決しようとしてなされたものである。
【０００６】
【課題を解決するための手段】
上記課題を解決するために、本発明は下記の生ゴミ収納容器を提供するものである。
【０００７】
（１）新聞紙等の古紙を折り曲げて上端を開口した略中空錐体を形成し、該略中空錐体の下部に水切り用の切り込み線を形成してなることを特徴とする生ゴミ収納容器（請求項１）。
【０００８】
（２）新聞紙等の古紙を折り曲げて上端を開口した略中空錐体を形成し、該略中空錐体の下部に水切り用の切り込み線を形成してなる容器を支持体に嵌脱自在に嵌め、該支持体には吸着盤を備えさせ、該吸着盤を流し台に吸着させるようにしたことを特徴とする生ゴミ収納容器（請求項２）。
【０００９】
【作用】
［請求項１の生ゴミ収納容器］
請求項１の生ゴミ収納容器には生ゴミを投入する。生ゴミに含まれる水は水きり用の切り込み線より落下する。生ゴミ収納容器内の生ゴミは、該生ゴミ収納容器内から取り出すことなく、該生ゴミ収納容器と共にゴミ袋又はコンポスト等に投入して処分される。生ゴミ収納容器は新聞紙等の古紙により形成されているため、該生ゴミ収納容器を生ゴミと共にゴミ袋に入れて焼却し、或いは該生ゴミ収納容器を生ゴミと共にコンポスト等に入れて堆肥化しても全く差し支えない。
【００１０】
［請求項２の生ゴミ収納容器］
請求項２の生ゴミ収納容器は、吸着盤を備えた支持体を介して流し台に配設される。生ゴミ収納容器内の生ゴミを処分する際には、該生ゴミ収納容器を支持体から外し、生ゴミを該生ゴミ収納容器から取り出すことなく、該生ゴミ収納容器と共に、前記請求項１の場合と同様に、処分する。該生ゴミ収納容器を生ゴミと共に処分した後、新しい生ゴミ収納容器を流し台に吸着盤により取り付けられた支持体に嵌める。その他の点においては、請求項２の生ゴミ収納容器は上記請求項１の生ゴミ収納容器と同様の作用を有する。
【００１１】
【発明の実施の形態】
次に、本発明の実施の形態を添付図面に従って説明する。
符号１に示すものは新聞紙、雑誌等の古紙を折り曲げて形成した上端を開口した略中空錐体たる容器である。
【００１２】
略中空錐体１の下部には水切り用の切り込み線３を形成する。
【００１３】
図２に示す事例においては、略中空錐体１たる容器を支持体５に嵌脱自在に嵌め、該支持体５には吸着盤７を備えさせ、該吸着盤７を流し台８の水平面９に吸着させている。該吸着盤７は流し台８の垂直面１０に吸着させても良い。
【００１４】
支持体５は一例として針金をリング状に形成してなるものとするが、支持体５は合成樹脂により形成しても差し支えない。
【００１５】
次に、新聞紙を折り曲げて上端を開口した略中空錐体を形成する手順の一例を図３〜図２１を参照して説明する。
【００１６】
（１）新聞紙１１を全開状態にする。新聞紙１１は、一例として、横の長さ約８１．５ｃｍ、縦の長さ約５４．５ｃｍである。図３参照。符号１３に示すものは当初より新聞紙１１に形成されている横方向の折れ目、符号１５に示すものは当初より新聞紙１１に形成されている縦方向の折れ目である。
【００１７】
（２）新聞紙１１の左下部を表面側に折り返し、直角二等辺三角形部ａを形成する。図４参照。新聞紙１１の表面側には直角二等辺三角形部ａと長方形部ｂとがあらわれる。
【００１８】
（３）新聞紙１１の長方形部ｂを表面側の直角二等辺三角形部ａ上に折り返す。図５参照。
【００１９】
（４）新聞紙１１を全開する。図６参照。新聞紙１１の表面には直角二等辺三角形部ａの折れ目ａ‘と長方形部ｂの折れ目ｂ’とがあらわれる。
【００２０】
（５）新聞紙１１の長方形部ｂを折れ目ｂ‘にて表面側に折り返す。図７参照。新聞紙１１は正方形となる。
【００２１】
（６）正方形となった新聞紙１１を折れ目ａ‘にて表面側に折り返す。図８参照。新聞紙１１は直角二等辺三角形部ｃとなる。
【００２２】
（７）直角二等辺三角形部ｃとなった新聞紙１１をその中心線ｄ‘にて表面側に折り返す。図９参照。新聞紙１１は前記直角二等辺三角形部ｃの半分の大きさの直角二等辺三角形部ｄとなる。
【００２３】
（８）半分の大きさの直角二等辺三角形部ｄとなった新聞紙１１を元の大きさの直角二等辺三角形部ｃに広げる。図１０参照。
【００２４】
（９）直角二等辺三角形部ｃにおける一方の直角二等辺三角形部ｄを当初より新聞紙１１に形成されている横方向の折れ目１３と折れ目ｄ‘とを一致させた状態で表面側に折り返す。図１１参照。
【００２５】
（１０）新聞紙１１を図１１に示す状態から表裏反転させる。図１２参照。
【００２６】
（１１）直角二等辺三角形部ｄを当初より新聞紙１１に形成されている横方向の折れ目１３と折れ目ｄ‘とを一致させた状態で表面側に折り返す。図１３参照。
【００２７】
（１２）図１３における三角形部ｅの辺ｅ‘を折れ目１３と折れ目ｄ‘とに一致させた状態で表面側に折り曲げる。図１４参照。
【００２８】
（１３）図１４に示す三角形部ｅにおける上部の小三角形部ｅ“を内側に折り曲げる。図１５参照。
【００２９】
（１４）新聞紙１１を図１５に示す状態から表裏反転させる。図１６参照。
【００３０】
（１５）図１６に示す三角形部ｆを表面側に折り返す。図１７参照。
【００３１】
（１６）図１７に示す三角形部ｆにおける上部の小三角形部ｆ‘を内側に折り曲げる。図１８参照。
【００３２】
（１７）図１８に示す三角形部ｇを表面側に折り返す。図１９参照。
【００３３】
（１８）新聞紙１１を図１９に示す状態から表裏反転させる。図２０参照。
【００３４】
（１９）図２０に示す三角形部ｈを表面側に折り返す。図２１参照。
【００３５】
以上により、図１に示す如き略中空四角錐体の容器１が形成される。
【００３６】
【発明の効果】
［請求項１の発明］
生ゴミ収納容器内の生ゴミは、該生ゴミ収納容器内から取り出すことなく、該生ゴミ収納容器と共にゴミ袋又はコンポスト等に投入して処分することができる。
換言すれば、三角コーナーから生ゴミを取り出すという面倒且つ不潔な作業が不要となる。生ゴミ収納容器は新聞紙等の古紙により形成されているため、該生ゴミ収納容器を生ゴミと共にゴミ袋に入れて焼却し、或いは該生ゴミ収納容器を生ゴミと共にコンポスト等に入れて堆肥化しても全く差し支えない。更に、新聞紙等の古紙の再利用を図ることもできる。
【００３７】
［請求項２の発明］
請求項２の生ゴミ収納容器は、吸着盤を備えた支持体を介して流し台に取り外し自在に配設されるため、使用上好都合である。その他の点においては、請求項２の発明は上記請求項１の発明と同様の効果を発揮する。
【図面の簡単な説明】
【図１】本発明による生ゴミ収納容器の一例を示す斜視図である。
【図２】同上生ゴミ収納容器の使用状態の一例を示す側面図である。
【図３】新聞紙を折り曲げて略中空錐体を形成する手順の第１の段階を示す説明図である。
【図４】新聞紙を折り曲げて略中空錐体を形成する手順の次の段階を示す説明図である。
【図５】新聞紙を折り曲げて略中空錐体を形成する手順の更に次の段階を示す説明図である。
【図６】新聞紙を折り曲げて略中空錐体を形成する手順の更に次の段階を示す説明図である。
【図７】新聞紙を折り曲げて略中空錐体を形成する手順の更に次の段階を示す説明図である。
【図８】新聞紙を折り曲げて略中空錐体を形成する手順の更に次の段階を示す説明図である。
【図９】新聞紙を折り曲げて略中空錐体を形成する手順の更に次の段階を示す説明図である。
【図１０】新聞紙を折り曲げて略中空錐体を形成する手順の更に次の段階を示す説明図である。
【図１１】新聞紙を折り曲げて略中空錐体を形成する手順の更に次の段階を示す説明図である。
【図１２】新聞紙を折り曲げて略中空錐体を形成する手順の更に次の段階を示す説明図である。
【図１３】新聞紙を折り曲げて略中空錐体を形成する手順の更に次の段階を示す説明図である。
【図１４】新聞紙を折り曲げて略中空錐体を形成する手順の更に次の段階を示す説明図である。
【図１５】新聞紙を折り曲げて略中空錐体を形成する手順の更に次の段階を示す説明図である。
【図１６】新聞紙を折り曲げて略中空錐体を形成する手順の更に次の段階を示す説明図である。
【図１７】新聞紙を折り曲げて略中空錐体を形成する手順の更に次の段階を示す説明図である。
【図１８】新聞紙を折り曲げて略中空錐体を形成する手順の更に次の段階を示す説明図である。
【図１９】新聞紙を折り曲げて略中空錐体を形成する手順の更に次の段階を示す説明図である。
【図２０】新聞紙を折り曲げて略中空錐体を形成する手順の更に次の段階を示す説明図である。
【図２１】新聞紙を折り曲げて略中空錐体を形成する手順の更に次の段階を示す説明図である。
【符号の説明】
１  略中空錐体たる容器
３  水切り用の切り込み線
５  支持体
７  吸着盤
８  流し台
９  水平面
１０  垂直面
１１  新聞紙
１３  当初より新聞紙に形成されている横方向の折れ目
１５  当初より新聞紙に形成されている縦方向の折れ目
【図１】
2004189463.tif 000003
【図２】
2004189463.tif 000004
【図３】
2004189463.tif 000005
【図４】
2004189463.tif 000006
【図５】
2004189463.tif 000007
【図６】
2004189463.tif 000008
【図７】
2004189463.tif 000009
【図８】
2004189463.tif 000010
【図９】
2004189463.tif 000011
【図１０】
2004189463.tif 000012
【図１１】
2004189463.tif 000013
【図１２】
2004189463.tif 000014
【図１３】
2004189463.tif 000015
【図１４】
2004189463.tif 000016
【図１５】
2004189463.tif 000017
【図１６】
2004189463.tif 000018
【図１７】
2004189463.tif 000019
【図１８】
2004189463.tif 000020
【図１９】
2004189463.tif 000021
【図２０】
2004189463.tif 000022
【図２１】
2004189463.tif 000023